(57)【要約】【課題】  生産性が良好で、かつ電池総厚を薄くすることができるリード端子付きコイン形電池を提供する。【解決手段】  一方の電極の端子を兼ねる外装缶と、他方の電極の端子を兼ねる封口板とを備え、前記外装缶および封口板にはそれぞれリード端子が電気的に接続されているリード端子付きコイン形電池において、前記外装缶の少なくとも外周部をラミネート鋼板で構成する。  上記ラミネート鋼板としてはステンレス鋼板にポリエステルフィルムをラミネートしたものが好ましく、外装缶は正極の端子を兼ね、封口板は負極の端子を兼ね、正極の活物質として二酸化マンガンを用い、負極の活物質としてリチウムまたはリチウム合金を用いることが好ましい。【選択図】  図１
2005340046.tif 000002
【特許請求の範囲】
【請求項１】
一方の電極の端子を兼ねる外装缶と、他方の電極の端子を兼ねる封口板とを備え、前記外装缶および封口板にはそれぞれリード端子が電気的に接続されているリード端子付きコイン形電池であって、前記外装缶の少なくとも外周部がラミネート鋼板で構成されていることを特徴とするリード端子付きコイン形電池。
【請求項２】
ラミネート鋼板が、ステンレス鋼板にポリエステルフィルムをラミネートしたものであることを特徴とする請求項１記載のリード端子付きコイン形電池。
【請求項３】
外装缶が正極の端子を兼ね、封口板が負極の端子を兼ねることを特徴とする請求項１または２記載のリード端子付きコイン形電池。
【請求項４】
正極の活物質が二酸化マンガンであり、負極の活物質がリチウムまたはリチウム合金であることを特徴とする請求項１〜３のいずれかに記載のリード端子付きコイン形電池。
【発明の詳細な説明】
【技術分野】
【０００１】
本発明は、リード端子付きコイン形電池に関し、さらに詳しくは、生産性が良好で、かつ電池総厚を薄くすることができるリード端子付きコイン形電池に関する。
【背景技術】
【０００２】
コイン形リチウム電池などの貯蔵特性の良好なコイン形電池の開発に伴い、近年、電気機器のバックアップ用電源としてコイン形電池が使用されるようになってきた。このようなコイン形電池においては、電気機器の回路基板への組み込みがしやすいように、電池にあらかじめリード端子を取り付けることが行われている。
【０００３】
そして、そのリード端子の電池への取り付けは、図５に示すように、一方の電極側のリード端子５の一方の端部を外装缶２の底面にスポット溶接などによって取り付け、他方の端部を電池本体１の径方向外方に引き出し、他方の電極側のリード端子６の一方の端部を封口板３の上面にスポット溶接などによって取り付け、他方の端部を封口板３と外装缶２とが近接する部分を越えて電池本体１の径方向外方に引き出すことによって行われている。
【０００４】
しかしながら、このようなリード端子付きコイン形電池は、厚みの薄い扁平形をしているため、図示以上に、外装缶２の開口端部が封口板３の上面近くまで達していて、他方の電極側のリード端子６に上方から荷重がかかると、該リード端子６がたわんで、外装缶２の外周部に接触して短絡が生じるという問題があった。
【０００５】
そのため、外装缶２の外周部を熱収縮性樹脂チューブを利用した絶縁被膜１０で覆い（図３では、絶縁被膜１０は、要部のみしか図示していないが、実際には、外装缶２の外周部全体を覆っている）、他方の電極側のリード端子６が外装缶２の外周部に接触して短絡が生じるのを防止している(例えば、特許文献１参照)。
【特許文献１】実開昭６０−１９１４５号公報
【発明の開示】
【発明が解決しようとする課題】
【０００６】
しかしながら、外装缶２の外周部を絶縁被膜１０で覆うことは、生産性を低下させ、製造コストをアップさせる原因になる。したがって、本発明は、一方の電極の端子を兼ねる外装缶２の外周部を熱収縮性樹脂チューブを利用した絶縁被膜１０で覆うことなく、他方の電極側のリード端子６に上方から荷重がかかった場合でも、外装缶２への接触による短絡が生じないリード端子付きコイン形電池を提供することを目的とする。
【課題を解決するための手段】
【０００７】
本発明は、一方の電極の端子を兼ねる外装缶と、他方の電極を兼ねる封口板とを備え、前記外装缶および封口板にそれぞれリード端子が電気的に接続されているリード端子付きコイン形電池において、前記外装缶の少なくとも外周部をラミネート鋼板で構成することによって、前記課題を解決したものである。
【発明の効果】
【０００８】
本発明によれば、リード端子付きコイン形電池の生産性を向上させることができ、それによって、製造コストを低減することができる。
【０００９】
すなわち、従来のリード端子付きコイン形電池では、熱収縮性樹脂チューブを利用して外装缶２の外周部に絶縁被膜１０を形成していたが、本発明では、外装缶２の少なくとも外周部をラミネート鋼板で構成するので、その製缶工程で絶縁処理ができ、熱収縮性樹脂チューブにより絶縁被膜を形成する必要がないので、生産性を向上させることができ、それによって、製造コストを低減することができる。
【００１０】
また、従来のリード端子付きコイン形電池では、封口板３に取り付けるリード端子６の一方の端部に「ダボ」と呼ばれる凹部６ａを設け、その凹部６ａのところで該リード端子を封口板３にスポット溶接などによって取り付けることにより、該リード端子６の凹部以外の部分を封口板３から少し離れさせて外装缶２の外周部に形成された短絡防止用の絶縁被膜１０を跨ぐことができるようにし、また、外装缶２に取り付けるリード端子５の一方の端部にも「ダボ」と呼ばれる凹部５ａを設け、その凹部５ａのところで該リード端子５を外装缶２にスポット溶接などによって取り付けることにより、該リード端子５の凹部以外の部分を外装缶２から少し離れさせて外装缶２の外周部に形成された絶縁被膜１０を跨ぐことができるようにしていたが、本発明では、熱収縮性樹脂チューブによる絶縁被膜を形成する必要がないので、そのような「タボ」と呼ばれる凹部を設ける必要がなくなり、電池総厚、すなわち、リード端子を取り付けた状態での電池の厚みを薄くすることができる。
【発明を実施するための最良の形態】
【００１１】
本発明を実施するための最良の形態を図面を参照しつつ説明する。
図１は本発明のリード端子付きコイン形電池の一実施形態を概略的に示す一部断面正面図であり、図２は図１に示すリード端子付きコイン形電池の電池本体を概略的に示す断面図であって、図３は図１に示す電池の外装缶の一部を拡大して示す断面図である。
【００１２】
そして、この図１〜３に示す実施形態では、外装缶を正極の端子を兼ねるものとし、封口板を負極の端子を兼ねるものとして示す。
【００１３】
まず、このリード端子付きコイン形電池において、参照符号と部材との関係について説明すると、１は電池本体であり、２は外装缶で、３は封口板であり、４は外装缶２と封口板３との間に配設された環状ガスケットで、５は正極側のリード端子であり、その一端は上記外装缶２の底面に取り付けられ、６は負極側のリード端子であって、その一端は上記封口板３の上面に取り付けられている。そして、このリード端子付きコイン形電池における電池本体１は、図２に示すように、上記外装缶２と封口板３と環状ガスケット４とで形成される空間内に正極７、負極８およびセパレータ９を収容し、電解液を注入することによって構成されている。
【００１４】
上記外装缶２は、図３に示すように、ステンレス鋼板などの金属板２ａを基板とし、それにポリエチレンテレフタレートなどの絶縁性の樹脂フィルム２ｂをラミネートしたラミネート鋼板で構成され、その樹脂フィルム２ｂ側が外周面を構成するように配置されている。
【００１５】
この実施形態においては、外装缶２を構成するラミネート鋼板の基板となる金属板２ａとしてステンレス鋼板を用いているが、ステンレス鋼板以外に、鉄鋼板などであってもよいし、また、その基板となる金属板２ａにラミネートする樹脂フィルム２ｂとしてポリエチレンテレフタレートフィルムを用いているが、それに代えて、ポリブチレンテレフタレートフィルムなどのポリエチレンテレフタレートフィルム以外のポリエステルフィルムを用いてもよいし、さらには、それらのポリエステルフィルム以外に、ポリエチレンフィルム、ポリプロピレンフィルム、塩化ビニル樹脂フィルム、ナイロンフィルムなどを用いてもよい。
【００１６】
上記ラミネート鋼板において、基板となる金属板２ａは、その厚みを外装缶２のサイズなどに応じて強度を考慮して適宜決定すればよいが、本実施形態においては、厚み０．２５ｍｍのステンレス鋼板が用いられている。そして、それにラミネートする樹脂フィルム２ｂは、絶縁性を考慮すると、その厚みは１０μｍ以上が好ましく、この実施形態では、厚み２０μｍのポリエチレンテレフタレートフィルムが用いられているが、厚みが厚くなるほど絶縁性が高くなるものの、リード端子の取り付けのためのスポット溶接の容易性などを考慮すると、３０μｍ程度までのものが好ましい。
【００１７】
本実施形態において、封口板３は厚さ０．２５ｍｍのステンレス鋼板を用いて形成され、環状ガスケット４はポリプロピレン製である。正極側のリード端子５は、厚さ０．２ｍｍのステンレス鋼板でリボン状に形成され、その一方の端部は外装缶２の底面にスポット溶接によって取り付けられ、他方の端部は電池本体１の径方向外方に引き出されている。
【００１８】
負極側のリード端子６は、厚さ０．２ｍｍのステンレス鋼板でリボン状に形成され、その一方の端部は封口板３の上面にスポット溶接によって取り付けられ、他方の端部は封口板３と外装缶２とが近接する部分を通り越して電池本体１の径方向外方に引き出され、一旦、下方向に垂直に折り曲げられ、正極側のリード端子５と同一平面になったところで水平に折り曲げられている。
【００１９】
そして、正極７は、二酸化マンガンを活物質とし、これに導電助剤としての鱗片状黒鉛とバインダーとしてのポリテトラフルオロエチレンとを加え混合して調製した正極合剤の加圧成形体で構成され、負極８はリチウムで構成され、セパレータ９はポリプロピレン不織布で構成され、このセパレータ９は前記正極７と負極８との間に配設されている。そして、電解液としてはプロピレンカーボネートと１，２−ジメトキシエタンとの体積比１：１の混合溶媒にＬｉＣｌＯ４を０．５ｍｏｌ／ｌ溶解して調製された有機電解液が用いられている。
【００２０】
このリード端子付きコイン形電池における電池本体１の直径は２０ｍｍ、高さ３．２ｍｍであり、これに正極側のリード端子５および負極側のリード端子６を取り付けたリード端子付きコイン形電池全体としての高さは３．６ｍｍである。これに対して、従来のリード端子付きコイン形電池は、電池本体の直径は２０ｍｍ、高さは３．２ｍｍと本発明の実施形態の場合と同様であるが、負極側のリード端子６の一方の端部に「ダボ」と呼ばれる深さ０．２ｍｍの凹部６ａを設け、その凹部６ａのところで封口板３の上面にスポット溶接し、該リード端子６の凹部６ａ以外の部分が封口板３の上面から少し離れるようにして、その他方の端部が外装缶２の外周部に形成されている絶縁被膜１０を跨ぐことができるようにし、また、正極側のリード端子５の一方の端部にも「ダボ」と呼ばれる深さ０．２ｍｍの凹部５ａを設け、その凹部５ａのところで外装缶２の底面にスポット溶接し、該リード端子５の凹部５ａ以外の部分が外装缶２の底面から少し離れるようにして、その他方の端部が外装缶２の外周部に形成されている絶縁被膜１０を跨ぐことができるようにしているので、電池総厚、すなわち、リード端子付きコイン形電池全体としての厚みは４．０ｍｍになる。
【００２１】
上記のように、本発明では、外装缶２をラミネート鋼板で構成することによって、外装缶２の外周部への熱収縮性樹脂チューブによる絶縁被膜１０の形成を不要にしたので、生産性を向上させることができ、それによって、製造コストを低減することができ、また、リード端子付きコイン形電池全体の厚さを薄くすることができる。
【００２２】
なお、本発明においては、コイン形電池という表現をしているが、このコイン形電池は、高さに比べて径が大きい扁平形をしている電池であればよく、ボタン形電池と呼ばれているものであってもよい。
【００２３】
また、図１では、正極側のリード端子５と負極側のリード端子６とが図面上で接触しているのかのごとく図示されるのを避けるため、正極側のリード端子５の自由側の端部と負極側のリード端子６の自由側の端部とをそれぞれ反対方向に引き出しているが、図４に示すように、正極側のリード端子５と負極側のリード端子６とは、位置を若干ずらして同一方向に引き出してもよいし、また、それら以外にもそれらリード端子の引き出しに際しては種々の態様をとることができる。
【００２４】
そして、上記実施形態において、外装缶２、封口板３、環状ガスケット４、正極側のリード端子５、負極側のリード端子６、正極７、負極８、セパレータ９などに関して示した材質、寸法などは、単なる例示であって、それに限られることはない。
【００２５】
また、上記実施形態では、外装缶２を正極７の端子を兼ねるものとし、封口板３を負極８の端子を兼ねるものとして示したが、それとは逆に、外装缶２が負極の端子を兼ね、封口板３が正極の端子を兼ねるものとしてもよい。
【図面の簡単な説明】
【００２６】
【図１】本発明のリード端子付きコイン形電池の一実施形態を概略的に示す一部断面正面図である。
【図２】図１に示すリード端子付きコイン形電池の電池本体を概略的に示す断面図である。
【図３】図１に示すリード端子付きコイン形電池の外装缶を構成するラミネート鋼板の一部を拡大して示す断面図である。
【図４】本発明のリード端子付きコイン形電池の他の実施形態を概略的に示す図であって、リード端子付きコイン形電池を底面側から見た図である。
【図５】従来のリード端子付きコイン形電池の一例を概略的に示す正面図である。
【符号の説明】
【００２７】
１    電池本体
２    外装缶
２ａ  金属板
２ｂ  樹脂フィルム
３    封口板
４    環状ガスケット
５    リード端子
６    リード端子
７    正極
８    負極
９    セパレータ
１０  絶縁被膜
【図１】
2005340046.tif 000003
【図２】
2005340046.tif 000004
【図３】
2005340046.tif 000005
【図４】
2005340046.tif 000006
【図５】
2005340046.tif 000007